(57)【特許請求の範囲】
【請求項１】
略長方形の輪郭を有する平板体のそれぞれ全長の略３分の１を占める両端部領域に、それぞれコの字状のスリット（１０、１１）を、それらの開放側を相対向させて設け、
両スリット（１０、１１）の外側に、それぞれ、平板体の中央部に連なる一対の連結腕部（１２０、１２１、１３０、１３１）と、一対の連結腕部（１２０、１２１、１３０、１３１）の自由端同士を結合する連結梁部（１２２、１３２）とからなる、コの字状の枠体部（１２、１３）を形成し、
一方の枠体部（１２）と、他の一方の枠体部（１３）の連結梁部（１２２、１３２）同士が、互いに係合して平板部全体として固定すべき散水ホースを包囲する環状体を形成し得るよう、一方の枠体部（１２）の連結梁部（１２２）の外側に一体的に張り出した係合突起部（１４）と、他の一方の枠体部（１３）の連結梁部（１３２）の内側に、係合突起部（１４）と互いに係合し合う係合切欠部（１５）と、を設け、
両スリット（１０、１１）の内側に、それぞれ、平板体の中央部に連なる取付板部（１６、１７）を形成し、
取付板部（１６、１７）に、それぞれその自由端部寄りに、固定用の孔（１６ａ、１７ａ）を設け、平板体の中央部に、Ｓ字状のスリットを設けることにより、平板体の長手方向に中心軸に沿って引き違いに長く延びる２条のホース押さえ（１９、２０）を設けた散水ホースの固定具（１）において、
係合突起部（１４）が、両側に順次階段状に拡幅する平面形状を有し、
連結梁部（１２２）の外縁に直接連なり、幅の狭い頚部（１４ａ）と、
頚部（１４ａ）と一体的に連なり、頚部（１４ａ）より一段幅広の係合主体部（１４ｂ）と、
係合主体部（１４ｂ）と一体的に連なり、係合主体部（１４ｂ）より幅広でコの字状の枠体部（１３）の内法寸法より狭い横幅を有する係止頭部（１４ｃ）と、からなり、
係合切欠部（１５）が、枠体部（１３）の連結梁部（１３２）の内側から、順次、
係合突起部（１４）の係止頭部（１４ｃ）を受容し得る開口幅を有する係合開口部（１５ａ）と、
係合開口部（１５ａ）に連なり、連結梁部（１３２）の外縁に向かって開口幅が狭まる導入テーパー部（１５ｂ）と、
導入テーパー部（１５ｂ）に連なり、係合突起部（１４）の頚部（１４ａ）は通過し得るが係合主体部（１４ｂ）は通過し得ない開口幅を有する咽喉部（１５ｃ）と、
咽喉部（１５ｃ）に連なり、係合突起部（１４）の係合主体部（１４ｂ）を受容し得る開口幅を有する受容主体部（１５ｄ）と、からからなり、
連結梁部（１３２）の外縁が閉じていることを特徴とする散水ホースの固定具（１）。
【請求項２】
枠体部（１２、１３）の連結梁部（１２２、１３２）が、他の部分より肉厚に構成されている請求項１に記載の散水ホースの固定具（１）。
【請求項３】
平板体の中央に略矩形状の開口（１８）が形成されており、２条のホース押さえ（１９、２０）の一端が、それぞれ矩形状の開口（１８）の縁辺から平板体に直角に起立する短い支脚（１９ａ、２０ａ）により支持され、対向する縁辺に向かって平板体に平行に開口を縦断して延びる請求項１又は２に記載の散水ホースの固定具（１）。
【請求項４】
取付板部（１６、１７）が、ホース押さえ（１９、２０）の張り出し側とは反対側に微小角度折り曲げられている請求項３に記載の散水ホースの固定具（１）。
【発明の詳細な説明】
【０００１】
【発明の属する技術分野】
本発明は、散水ホースの固定具に関する。
【０００２】
【従来の技術】
散水には様々なシステムがあるが、隅々まで平均的に散水するものとして、散水ホースを用いたものがある。
この散水ホースは、柔軟な熱可塑性樹脂フィルム製の偏平なものであり、その側部に適宜の間隔でスリットやピンホールなどの小孔が設けられ、内部に供給される水がその小孔からドリップや噴霧して、散水するものである。
この散水ホースは、通常は畑の土の上に配置され、使用中に移動したり、ねじれたりしないよう、固定具によって固定される。
【０００３】
この固定具は、略長方形の輪郭を有する平板体のそれぞれ全長の略３分の１を占める両端部領域に、それぞれコの字状のスリットを、それらの開放側を相対向させて設けると共に、平板体の中央部にＳ字状のスリットを設けることによって、平板体の長手方向に中心軸に沿って引き違いに長く延びる２条のホース押さえを設け、さらに、コの字状のスリットの内側に形成され、平板体の中央部に連なる取付板部の自由端部寄りに、固定用の孔を設けたものである。
【０００４】
この固定具は、引き違いに延びるホース押さえを持ち上げてホース押さえと平板体中央部の枠との間に散水ホースを挟むと共に、両スリットの外側に形成されるコの字状の枠体部の端縁同士を係合させた状態で、通常は畑の地上部に配置し、鉄棒や木片等で固定するが、適当なレールやフェンスなどの固定物に、この固定具の孔に通した紐により、この固定具を取り付け、散水ホースを所望の経路に固定してもよい。
固定具のスリットの外側に形成されるコの字状の枠体部は、それぞれ平板体の中央部に連なる一対の連結腕部と、一対の連結腕部の自由端同士を結合する連結梁部とからなる。
この枠体部の係合は、一方の枠体部の連結梁部の外側に一体に張り出すよう設けられる係合突起部を、他の一方の枠体部の連結梁部の内側に係合切欠部に係止させることによって行われている。
【０００５】
従来の係合突起部は、枠体部の連結梁部の外縁に直接連なり、幅の狭い係合主体部と、係合主体部と一体的に連なり、係合主体部より幅広でコの字状の枠体部の内法寸法より狭い横幅を有する係止頭部とからなるＴ字状の部材であり、係合切欠部は、枠体部の連結梁部の内縁に係合突起部の係合主体部より幅広の係合開口部と、係合開口部に連なり、連結梁部の外縁に向かって開口幅が狭まる導入テーパー部と、導入テーパー部に連なり、係合突起部の係合主体部を受容し得る横幅を有する受容主体部と、導入テーパー部と、受容主体部との境界に設けられ、対向する境界方向に突出する小突起とからなる。
【０００６】
この従来の係合突起部を、係合切欠部に受容させて係止させると、係合突起部は、係合切欠部内で保持され、環状体を形成するようになる。
しかしながら、この係合突起部は、係合切欠部の導入テーパー部と受容主体部との境界に設けられた小突起により、係合突起部の係合主体が、係合切欠部の受容主体部から外れないように保持されているので、枠体部の角が押圧されるなどして、枠体部が歪むと係合突起部が係合切欠部から極めて容易に外れてしまうという問題があった。
【０００７】
【発明が解決しようとする課題】
本発明は上記の問題を解決するためなされたものであり、その目的は、散水ホースの固定具の枠体部同士の係合が不用意に外れないようにすることにある。
【０００８】
【課題を解決するための手段】
上記の目的は、
係合突起部を、両側に順次階段状に拡幅する平面形状を有し、連結梁部の外縁に直接連なり、幅の狭い頚部と、頚部と一体的に連なり、頚部より一段幅広の係合主体部と、係合主体部と一体的に連なり、係合主体部より幅広でコの字状の枠体部の内法寸法より狭い横幅を有する係止頭部と、からなるものとし、
係合切欠部を、枠体部の連結梁部の内側から、順次、係合突起部の係合主体部を受容し得る横幅を有する係合開口部と、係合開口部に連なり、連結梁部の外縁に向かって開口幅が狭まる導入テーパー部と、導入テーパー部に連なり、係合突起部の頚部の通過を許す横幅を有する咽喉部と、咽喉部に連なり、係合突起部の係合主体部を受容し得る横幅を有する受容主体部と、からなるものとすることにより達成される。
【０００９】
【発明の実施の形態】
以下、図面により本発明を詳細に説明する。
図１は本発明にかかる散水ホースの固定具の一実施例を示す正面図、図２は図１に示した固定具の背面図、図３は図１に示した固定具の左側面図、図４は図１に示した固定具の右側面図、図５は図１に示した固定具の平面図、図６は図１に示した固定具の底面図、図７は図１に示したＡ−Ａ断面図、図８は図１に示したＢ−Ｂ断面図、図９は図１に示した固定具の連結状態を示す正面図、図１０は図１に示した固定具の連結状態を示す平面図である。
【００１０】
まず、図１ないし図６について説明する。
図中、１は固定具、１０、１１はスリット、１２、１３は枠体部、１４は係合突起部、１５は係合切欠部、１６、１７は取付板部、１８は開口、１９、２０はホース押さえである。
固定具１は、略長方形の輪郭を有する平板体である。
スリット１０、１１は、コの字状であり、それらの開放側が相対向するよう、固定具１のそれぞれ全長の略３分の１を占める両端領域に設けられる。
【００１１】
枠体部１２、１３は、スリット１０、１１の外側に形成され、平板体の中央部に連なる一対の連結腕部１２０、１２１及び１３０、１３１と、それぞれ一対の連結腕部１２０、１２１、１３０、１３１の自由端同士を結合する連結梁部１２２、１３２とからなるコの字状のものである。
この枠体部１２、１３の連結梁部１２２、１３２は、他の部分より肉厚に構成されている。
【００１２】
係合突起部１４は、一方の枠体部１２の連結梁部１２２に、その外縁から外側に一体的に張り出すよう設けられる。
この係合突起部１４は、図５及び図６に示したように、両側に順次階段状に拡幅する平面形状を有するものである。
この係合突起部１４は、連結梁部１２２の外縁中央に一体的に連なる幅の狭い頚部１４ａと、頚部１４ａと一体的に連なり、頚部１４ａより一段幅広の係合主体部１４ｂと、係合主体部１４ｂと一体的に連なり、係合主体部１４ｂより幅広で、コの字状の枠体部１２の内法寸法より狭い矛幅を有する係止頭部１４ｃとからなる。
【００１３】
係合切欠部１５は、他の一方の枠体部１３の連結梁部１３２の内側に、係合突起部１４と互いに係合し合うよう設けられる。
この係合切欠部１５は、枠体部１３の連結梁部１３２の内縁から、順次、係合突起部１４の係合主体部１４ｂを受容し得る横幅を有する係合開口部１５ａと、係合開口部１５ａに連なり、連結梁部１３２の外縁に向かって開口幅が狭まる導入テーパー部１５ｂと、導入テーパー部１５ｂに連なり、係合突起部１４の頚部１４ａの通過を許す横幅を有する咽頭部１５ｃと、咽頭部１５ｃに連なり、係合突起部１４の係合主体部１４ｂを受容し得る横幅を有する受容主体部１５ｄとからなる。
【００１４】
取付板部１６、１７は、スリット１０、１１の内側に、それぞれ、平板体の中央部に連なって形成される。
この取付板部１６、１７は、図１及び図２に示したように、同じ方向に微小角度折り曲げられ、それぞれの自由端部寄りに、固定用の孔１６ａ、１７ａが設けられる。
開口１８は、図６に示したように、平板体の中央部に設けられた略矩形状のものである。
【００１５】
ホース押さえ１９、２０は、図５及び図６に示したように、それぞれ、平板体の長手方向に中心軸に沿って引き違いに長く延びるものである。
このホース押さえ１９、２０は、図１などに示したように、それぞれ、一端が取付板部１６、１７の折り曲げ方向とは反対側に、開口１８の縁辺から平板体に直角に起立する短い支脚１９ａ、２０ａにより支持されている。
また、図３、図４、図７及び図８に示したように、この固定具の縁部に沿って、この部材自体の剛性を高めるため、リブが設けられている。
【００１６】
この散水ホースの固定具１を使用する場合、この固定具１を、所要の位置に固定孔１６ａ、１７ａに通した図示しない鉄棒や紐などで固定し、図示しないホースを、ホース押さえ１９、２０と、平板体の中央部との間に挟持させる。
この図示しないホースを挟持した固定具１の枠体部１２、１３を、ホース押さえ１９、２０の突出方向に引き起こして湾曲させ、図９及び図１０に示したように、係合突起部１４を係合切欠部１５に嵌め、環状体を構成する。
係合突起部１４が係合切欠部１５に嵌めるときには、係合突起部１４の頚部１４ａを係合切欠部１５の係合開口部１５ａから導入テーパー部１５ｂ、咽頭部１５ｃを通し、係合突起部１４の係合主体部１４ｂを、係合切欠部１５の受容主体部１５ｄに収容させる。
【００１７】
このとき、係合突起部１４の係止頭部１４ｃが、係合切欠部１５の受容主体部１５ｄの周囲の枠体部１３に引っかかるため、係合突起部１４が係合切欠部１５から抜けることがない。
また、このとき、枠体部１２、１３の連結梁部１２２、１３２の一部がホース押さえ１９、２０の方向に押圧されても、係合突起部１４の係合主体部１４ｂが係合切欠部１５の咽頭部１５ｃを通ることができずにひっかかるため、係合突起部１４が枠体部１３内へ戻ることができず、外れることがない。
【００１８】
また、この押圧により、仮に係合突起部１４の係合主体部１４ｂが係合切欠部１５の受容主体部１５ｄ内を滑り、係合突起部の頚部１４ａが係合切欠部１５の咽頭部１５ｃに入ってしまったとしても、係合突起部１４の係合主体部１４ｂが、係合切欠部１５の咽頭部１５ｃや導入テーパー１５ｂの周囲に引っかかるので、枠体部１３、１４に対する押圧力だけではそれらの係止が解かれることがない。
この係止を解きたい場合には、一方の手で枠体部１３を押さえ、他の一方の手で係合突起部１４を引っ張って枠体部１３内に真っ直ぐ引きぬけばよい。
【００１９】
このように、本発明にかかる保持具は、設置された保持具に形成される環状部を潰す方向に作用する外力のみでは枠体部１２、１３の係止を簡単に解くことができず、設置後に不用意に枠体部１２、１３が外れてしまうことがない。
なお、本発明にかかる保持具は、上記の実施例に限定されるものではなく、例えば、枠体部の連結梁部は、他の部分と同じ厚さとしてもよく、また、２条のホース押さえは、平板体の中央部にＳ字状のスリットを設けることにより形成される引き違いに延びる、平板体の中央部と同一平面上のものとしてもよい。
また、取付板部は、微小角度折り曲げられていなくてもよく、また、その形状も取り付け位置や、状況に応じて自由に設計変更できるものである。
【００２０】
【発明の効果】
本発明は上記のように構成されるので、本発明によるときは、散水ホースの固定具の枠体部同士の係合が不用意に外れないようになる。
【図面の簡単な説明】
【図１】本発明にかかる散水ホースの固定具の一実施例を示す正面図である。
【図２】図１に示した固定具の背面図である。
【図３】図１に示した固定具の左側面図である。
【図４】図１に示した固定具の右側面図である。
【図５】図１に示した固定具の平面図である。
【図６】図１に示した固定具の底面図である。
【図７】図１に示したＡ−Ａ断面図である。
【図８】図１に示したＢ−Ｂ断面図である。
【図９】図１に示した固定具の連結状態を示す正面図である。
【図１０】図１に示した固定具の連結状態を示す平面図である。
【符号の説明】
１        固定具
１０      スリット
１１      スリット
１２      枠体部
１２０    連結腕部
１２１    連結腕部
１２２    連結梁部
１３      枠体部
１３０    連結腕部
１３１    連結腕部
１３２    連結梁部
１４      係合突起部
１４ａ    頚部
１４ｂ    係合主体部
１４ｃ    係止頭部
１５      係合切欠部
１５ａ    係合開口部
１５ｂ    導入テーパー部
１５ｃ    咽頭部
１５ｄ    受容主体部
１６      取付板部
１６ａ    固定孔
１７      取付板部
１７ａ    固定孔
１８      開口
１９      ホース押さえ
１９ａ    支脚
２０      ホース押さえ
２０ａ    支脚
【図１】
0004584423.tif 000002
【図２】
0004584423.tif 000003
【図３】
0004584423.tif 000004
【図４】
0004584423.tif 000005
【図５】
0004584423.tif 000006
【図６】
0004584423.tif 000007
【図７】
0004584423.tif 000008
【図８】
0004584423.tif 000009
【図９】
0004584423.tif 000010
【図１０】
0004584423.tif 000011